(57)【要約】【課題】  移動体通信ネットワークに対して統括的なネットワーク試験を実施することができるネットワーク試験装置を提供する。【解決手段】  本ネットワーク試験装置１０１は、入出力装置１０３からの試験開始指示に応じて、試験のエリア及び試験のパターンを考慮した試験のシナリオを作成する試験呼制御部１１９、該試験シナリオを該シナリオで指定されている移動局に送信する発信試験実行制御部１２１及び／又は着信試験実行制御部１２９、並びに加入者データ管理インタフェース部１１５を有している。また、該加入者データ管理インタフェース部１１５は、発信の指示に応答して試験シナリオに応じた試験結果を該当する移動局から受信する。これにより、Ｍ−ＳＣＰ１０５で管理されている移動局の在圏データ等を有効に活用して、移動体通信ネットワーク全体の正常性を確認することができる。【選択図】  図３
2006020155.tif 000002
【特許請求の範囲】
【請求項１】
移動局の位置情報を該移動局の識別情報と対応させて記憶する記憶装置を備えた移動体通信ネットワークに接続されるネットワーク試験装置であって、
ネットワーク試験の手順を規定するシナリオ情報を送信する対象の移動局を、該シナリオ情報に含まれるセル情報に対応する移動局の識別情報を用いて特定し、該特定した移動局に対して該シナリオ情報を送信する送信手段と、
該シナリオ情報に従って実行された試験の結果を受信する受信手段と、
を備えたことを特徴とするネットワーク試験装置。
【請求項２】
該ネットワーク試験のエリアを特定するエリアデータと、該試験の実施パターンを特定するパターンデータとを使用して該シナリオ情報を設定する設定手段をさらに備える、
請求項１記載のネットワーク試験装置。
【請求項３】
該設定手段は、試験のエリアに現在在圏している移動局を特定するエリアデータに基づいて該シナリオ情報を設定する、
請求項２記載のネットワーク試験装置。
【請求項４】
該設定手段は、試験のスケジュールに従って該シナリオ情報を設定する、
請求項２又は３記載のネットワーク試験装置。
【請求項５】
該設定手段は、解除要求に応答して特定の移動局をネットワーク試験の対象から除き、別の移動局を試験の対象とするシナリオ情報を設定する、
請求項２又は３記載のネットワーク試験装置。
【発明の詳細な説明】
【技術分野】
【０００１】
本発明は、移動体通信の分野に関し、特に、移動体通信ネットワークに対する試験の分野に関する。
【背景技術】
【０００２】
図１は、従来の移動体通信ネットワークに対する試験を例示する図である。この試験のシステムは、加入者データ等を管理する移動サービス制御装置（M-SCP: Mobile Service Control Point）、移動体交換器（MMS: Multimedia Messaging Service）、基地局制御装置（RNC: Radio Network Controller）、無線基地局（BTS: Base Transceiver Station）及び移動局（MS: Mobile Station）により実施されている。ここで、１つのＭＭＳには、複数のＲＮＣが接続されており、１つのＲＮＣには、複数のＢＴＳが接続されており、１つの基地局には、そのサービスエリアに収容される複数の移動局が接続される。
【０００３】
この図に例示されるように、従来のネットワークの試験では、ネットワークを構成するノード（ＭＭＳ，ＲＮＣ，ＢＴＳ）が通話試験の機能を有しており、ノード毎に独立して正常性を確認するための試験が実施されていた。
【特許文献１】特開平７−５８６８４号公報
【特許文献２】特開平５−１４５４７４号公報
【発明の開示】
【発明が解決しようとする課題】
【０００４】
ＢＴＳの無線カバー範囲を含めて移動体通信ネットワーク全体の通話試験を行う場合、フィールド、すなわちサービス提供地域に試験員を配置して、加入者が実際に使用している移動局を試験することが行われる。このため、図１に例示される大規模なネットワークを広域にわたり定常的に試験することは困難であった。したがって、たとえば、サイレント（「だんまり」）状態のような不具合を早期に検出することができなかった。
【０００５】
また、試験員の配置によって各ノードの正常性を確認するための試験カバー範囲（無線エリア、ノード）が異なるため、サービス提供エリア又は複数のノードに対して十分な正常性の確認試験を実施することができなかった。
【０００６】
これまで、移動体通信ネットワークの試験エリア全体に対して統括的に試験を実施するための提案はされていない。
【０００７】
本発明の目的は、移動体通信ネットワークに対して統括的に試験を実施することができるネットワーク試験装置を提供することにある。
【課題を解決するための手段】
【０００８】
本発明のネットワーク試験装置は、移動局の位置情報を該移動局の識別情報と対応させて記憶する記憶装置を備えた移動体通信ネットワークに接続されている。本装置は、ネットワーク試験の手順を規定するシナリオ情報を送信する対象の移動局を、該シナリオ情報に含まれるセル情報に対応する移動局の識別情報を用いて特定し、該特定した移動局に対して該シナリオ情報を送信する送信手段、及び該シナリオ情報に従って実行された試験の結果を受信する受信手段を備えている。
【発明の効果】
【０００９】
本発明によれば、移動体通信ネットワークに対して統括的なネットワーク試験を実施することができるネットワーク試験装置を提供することができる。
【発明を実施するための最良の形態】
【００１０】
以下、本発明の好適な実施の形態を添付図面と対応して詳細に説明する。
【００１１】
図２は、本発明の実施の形態に係るネットワーク試験装置の概念を説明する図である。このネットワーク試験装置１０１は、入力装置１０３と加入者データ管理装置（Ｍ−ＳＣＰ）１０５との間で通信回線を介して接続されている。また、Ｍ−ＳＣＰ１０５は、複数の移動局の交換機（ＭＭＳ）１０７−１〜ｉに無線回線等を介して接続されている。
【００１２】
なお、図示されていないが、ＭＭＳ１０７−１〜ｉのそれぞれには、図１と同様に複数の基地局制御装置（ＲＮＣ）が無線回線を介して接続されており、各ＲＮＣは、複数の無線基地局（ＢＴＳ）と無線回線を介して接続されている。さらに、各ＢＴＳは、自身のサービスエリアに複数の移動局（ＭＳ）を収容している。
【００１３】
図３は、本実施の形態に係るネットワーク試験装置の詳細な機能を例示する図である。このネットワーク試験装置１０１は、入力受付部１０９、結果報告（異常報告）出力部１１１、試験加入者設定制御部１１３、加入者データ管理インタフェース部１１５、試験実行受付部１１７、試験呼制御部１１９、発信試験実行制御部１２１、試験エリア制御部１２３、試験スケジュール制御部１２５、試験パターン制御部１２７、着信試験実行制御部１２９、試験エリアデータベース（ＤＢ）１３１、試験スケジュールデータベース（ＤＢ）１３３、試験パターンデータベース（ＤＢ）１３５及び試験シナリオデータベース（ＤＢ）１３７を含んでいる。
【００１４】
はじめに、本実施の形態に係るＭ−ＳＣＰ１０５には、加入者データベース（ＤＢ）１０６が設けられている（図１６参照）。この加入者ＤＢには、加入者データが登録されている。この加入者データには、Ｍ−ＳＣＰ１０５によって管理される加入者（移動局）の加入者番号（識別情報）、該加入者がどのＢＴＳのサービスエリアに在圏しているかに関する在圏情報（位置情報）、更には、該加入者がネットワーク試験の対象であるか否かを示すフラグ等が対応して登録される。
【００１５】
特に、この加入者データは、移動局が位置を登録する際に更新される。具体的には、移動局が在圏するエリアに関する移動局の在圏情報（位置情報）と加入者番号（識別情報）とは対応して記憶される。
【００１６】
入力受付部１０９は、入出力装置１０３から入力されたデータ又は指示を受け付ける。具体的には、図４に従う機能を有している。
【００１７】
図４は、本実施の形態に係る入力受付部１０９の具体的な処理を例示するフローチャートである。
【００１８】
はじめに、ステップＳ４０１で、入出力装置１０３から入力された指示内容を確認する。ステップＳ４０１で、入力情報が加入者データへの設定又は設定解除の指示である場合には、ステップＳ４０２で、該設定指示を試験加入者設定制御部１１３に送出する。この設定指示／設定解除指示には、加入者ＤＢ１０６に登録されている特定の加入者（移動局）をネットワーク試験の対象として設定すべき指示、又は該設定を解除すべき指示が含まれる。
【００１９】
また、ステップＳ４０１で、試験の実行又は停止指示である場合には、ステップＳ４０３で、該実行指示又は停止指示を試験実行受付部１１７に送出する。また、試験エリアの登録指示である場合には、ステップＳ４０４で、該登録の内容を試験エリア制御部１２３に送出する。この登録内容には、ＭＭＳの局名、ＲＮＣの局名及びＢＴＳの局名等といったネットワーク試験のエリアを特定する試験エリアデータが含まれている。
【００２０】
さらに、ステップＳ４０１で、試験スケジュールの登録指示である場合には、ステップＳ４０５で、該登録の内容を試験スケジュール制御部１２５に送出する。この登録内容には、ネットワーク試験を開始する時刻、試験の繰返し回数等といったネットワーク試験のスケジュールを特定する試験スケジュールデータが含まれる。さらに、ステップＳ４０１で、試験パターンの登録指示である場合には、ステップＳ４０６で、該登録の内容を試験パターン制御部１２７に送出する。この登録内容には、発信／着信試験、回線呼／ｉ−ｍｏｄｅ（登録商標）、着信先の端末種別等といったネットワーク試験のパターンを特定する試験パターンデータが含まれる。
【００２１】
結果報告（異常報告）出力部１１１は、ネットワークの正常性を確認する試験の結果を出力する。具体的には、図５に従う機能を有している。
【００２２】
図５は、本実施の形態に係る結果報告（異常報告）出力部１１１の具体的な処理を例示するフローチャートである。ステップＳ５０１で、試験呼制御部１１９からの試験の結果を入力して、入出力装置１０３に出力する。
【００２３】
試験加入者設定制御部１１３は、ネットワーク試験の対象となる加入者の設定及び設定の解除を行う。具体的には、図６に従う機能を有している。
【００２４】
図６は、本実施の形態に係る試験加入者設定制御部１１３の具体的な処理を例示するフローチャートである。
【００２５】
ステップＳ６０１で、入力受付部１０９で入力された設定指示（図４のステップＳ４０２参照）をＭ−ＳＣＰ１０５を介して加入者データ管理インタフェース部１１５に通知する。また、入力受付部１０９で入力された設定解除の指示をＭ−ＳＣＰ１０５を介して加入者データ管理インタフェース部１１５に通知する。
【００２６】
試験エリア制御部１２３は、試験エリアＤＢ１３１に接続されており、ネットワークの正常性を確認する試験を実施するエリアを特定するためのデータの登録等を行う。具体的には、図７に従う機能を有している。
【００２７】
図７は、本実施の形態に係る試験エリア制御部１２３の具体的な処理を例示するフローチャートである。
【００２８】
はじめに、ステップＳ７０１で、入力情報を確認する。ステップＳ７０１で、入力情報が試験エリアの登録指示である場合（図４のステップＳ４０４参照）、ステップＳ７０２で、入力された試験エリアデータを試験エリアＤＢ１３１に登録する。次いで、ステップＳ７０３で、ステップＳ７０２で登録された試験エリアに在圏している移動局の加入者番号の収集要求を加入者データ管理インタフェース部１１５に送出する。
【００２９】
また、ステップＳ７０１で、入力情報が在圏情報の収集結果である場合、ステップＳ７０４で、ステップＳ７０２で登録された試験エリアデータと対応して加入者番号を試験エリアＤＢ１３１に登録する。この収集結果は、ステップＳ７０３での収集要求に応答してＭ−ＳＣＰ１０５から返送される。
【００３０】
さらに、ステップＳ７０１で、入力情報が試験エリアデータの収集要求である場合（図１２のステップＳ１２０３，ステップＳ１２２８及びステップＳ１２３４参照）、ステップＳ７０５で、試験エリアデータを試験エリアＤＢ１３１から読み出して要求元に返送する。
【００３１】
試験エリアＤＢ１３１は、たとえば、磁気ディスク等の大容量の記憶装置であり、試験エリアデータを記憶する。この試験エリアデータは、たとえば、１つのＭＭＳによる交換機能が提供されるＲＣＮ及びＢＴＳの属性を規定している。たとえば、図１５に例示される試験エリアデータ１３９では、ＭＭＳ＝Ａには、ＲＣＮ＝ａ，ｂ，ｃ及びｄが接続されており、さらに、各ＲＣＮには、ＢＴＳ＝１，２，３，４，５及び６が接続される点が規定されている。ここで、ＢＴＳ＃１ Ｓ１Ｃ１は、基地局＃１のセクタ１／キャリア１を意味しており、セクタ／キャリアは、無線エリアに対応している。
【００３２】
試験パターン制御部１２７は、試験パターンＤＢ１３５に接続されており、ネットワーク試験のパターンを特定するためのデータの登録等を行う。具体的には、図８に従う機能を有している。
【００３３】
図８は、本実施の形態に係る試験パターン制御部１２７の具体的な処理を例示するフローチャートである。
【００３４】
はじめに、ステップＳ８０１で、入力情報を確認する。ステップＳ８０１で、入力情報が試験パターンの登録指示である場合（図４のステップＳ４０６参照）、ステップＳ８０２で、入力された試験パターンデータを試験パターンＤＢ１３５に登録する。また、ステップＳ８０１で、入力情報が試験パターンデータの収集要求である場合（図１２のステップＳ１２０４、ステップＳ１２２９及びステップＳ１２３５参照）、ステップＳ８０３で、該当する試験パターンデータを試験パターンＤＢ１３５から読み出して要求元に返送する。
【００３５】
試験パターンＤＢ１３５は、たとえば、磁気ディスク等の大容量の記憶装置であり、試験パターンデータを記憶する。この試験パターンデータは、たとえば、試験の種別、呼種及び着信先等を規定している。たとえば、図１６に例示される試験パターンデータ１４１には、試験種別「発信試験」、呼種「回線」及び着信先「固定網」が規定されている。
【００３６】
試験スケジュール制御部１２５は、試験スケジュールＤＢ１３３に接続されており、ネットワーク試験のスケジュールを特定するためのデータの登録等を行う。具体的には、図９に従う機能を有している。
【００３７】
図９は、本実施の形態に係る試験スケジュール制御部１２５の具体的な処理を例示するフローチャートである。
【００３８】
はじめに、ステップＳ９０１で、入力情報を確認する。ステップＳ９０１で、入力情報が試験スケジュールの登録指示である場合（図４のステップＳ４０５参照）、ステップＳ９０２で、入力された試験スケジュールデータを試験スケジュールＤＢ１３３に登録する。また、ステップＳ９０１で、入力情報が試験の開始指示である場合（図１１のステップＳ１１０３参照）、ステップＳ９０３で、試験スケジュールＤＢ１３３に登録されている試験スケジュールデータを読出して、試験スケジュールの起動を開始する。
【００３９】
この開始処理は、ステップＳ９０４で、スケジュールで指定されている時間が到来したか否かに基づいてスケジュール起動の要否を判定する。スケジュールを起動する場合には、ステップＳ９０５で、該スケジュールを起動すべき旨を試験呼制御部１１９に指示する。ステップＳ９０４〜Ｓ９０５の処理は、スケジュールの時間設定に応じて繰り返される。
【００４０】
さらに、ステップＳ９０１で、入力情報が試験の停止指示である場合（図１１のステップＳ１１０４参照）、ステップＳ９０６で、たとえば、ステップＳ９０５に関して現在起動しているスケジュールが停止され、ステップＳ９０７で、試験呼制御部１１９に停止指示が送出される。
【００４１】
試験スケジュールＤＢ１３３は、たとえば、磁気ディスク等の大容量の記憶装置であり、試験スケジュールデータを記憶する。この試験スケジュールデータは、たとえば、試験回数、起動時間及び起動間隔等を規定している。たとえば、図１６に例示される試験スケジュールデータ１４３には、試験回数「１回」、起動時間「７００時間」及び起動間隔「０時間」が規定されている。
【００４２】
加入者データ管理インタフェース部１１５は、Ｍ−ＳＣＰ１０５とのデータのやり取りを行う。具体的には、図１０に従う機能を有している。
【００４３】
図１０は、本実施の形態に係る加入者データ管理インタフェース部１１５の具体的な処理を例示するフローチャートである。
【００４４】
はじめに、ステップＳ１００１で、入力情報を確認する。ステップＳ１００１で、入力情報がＭ−ＳＣＰ１０５への指示である場合、ステップＳ１００２で、指示の内容を確認する。ステップＳ１００２で、加入者データへの設定又は設定解除の指示である場合には（図６のステップＳ６０１参照）、ステップ１００３で、この設定又は解除の指示をＭ−ＳＣＰ１０５に送信する。ステップＳ１００２で、在圏データの収集要求である場合には（図７のステップＳ７０３参照）、ステップＳ１００３で、この収集要求をＭ−ＳＣＰ１０５に送信する。
【００４５】
また、ステップＳ１００２で、試験対象の設定解除の応答である場合（図１２のステップＳ１２２３参照）、ステップＳ１００３で、この応答をＭ−ＳＣＰ１０５に送出する。さらに、各移動局への各種データの転送指示である場合、ステップＳ１００３で、この各種データをＭ−ＳＣＰ１０５に送出する。なお、この各種データには、試験のシナリオ（図１２のステップＳ１２０５）等が含まれる。
【００４６】
一方、ステップＳ１００１で、入力情報がネットワーク試験装置１０１内への指示等である場合、ステップＳ１００４で指示の内容を確認する。ステップＳ１００４で、入力情報が、試験結果報告、或いは発信試験の解除指示又は着信試験の解除指示である場合、ステップＳ１００５で、この報告又は指示を試験呼制御部１１９に送出する。また、ステップＳ１００４で、入力情報が在圏エリアの収集結果である場合（本図のステップＳ１００２参照）、該収集結果を試験エリア制御部１２３に送出する。
【００４７】
試験実行受付部１１７は、ネットワーク試験の実行に関連する指示を受け付ける。具体的には、図１１に従う機能を有している。
【００４８】
図１１は、本実施の形態に係る試験実行受付部１１７の具体的な処理を例示するフローチャートである。
【００４９】
ステップＳ１１０１で、入力された試験の開始／停止指示（図４のステップＳ４０３参照）の種類を確認する。ステップＳ１１０１で、入力された開始／停止指示が、開始指示のうち即実行すべき旨を示す指示である場合、ステップＳ１１０２で、その指示を試験呼制御部１１９に送出する。
【００５０】
また、ステップＳ１１０１で、入力された開始／停止指示が、開始指示のうちスケジュールを起動すべき旨を示す指示である場合、ステップＳ１１０３で、その指示を試験スケジュール制御部１２５に送出する。さらに、ステップＳ１１０１で、入力された開始／停止指示が試験の停止指示である場合、ステップＳ１１０４で、その指示を試験スケジュール制御部１２５に送出する。
【００５１】
試験呼制御部１１９は、本発明に係るネットワーク試験の実施に関する全体的な制御を行う。具体的には、図１２に従う機能を有している。
【００５２】
図１２は、本実施の形態に係る試験呼制御部１１９の具体的な処理を例示するフローチャートである。
【００５３】
はじめに、ステップＳ１２０１で、入力情報の種類を確認する。ステップＳ１２０１で、入力情報が試験の開始指示である場合には（図１１のステップＳ１１０２又は図９のステップＳ９０５参照）、ステップＳ１２０２の処理に進み、入力情報がＭ−ＳＣＰ１０５からのデータである場合には、ステップ１２１７の処理に進む。さらに、入力情報が試験の停止指示である場合には（図９のステップＳ９０７参照）、ステップＳ１２３７の処理に進む。
【００５４】
はじめに、ステップＳ１２０２で、試験パターンと試験エリアから試験のシナリオを設定する。この試験シナリオは、ステップＳ１２０３で、試験エリア制御部１２３に指示することで返送される試験エリアデータ（図７のステップＳ７０５参照）を受け、次いで、ステップＳ１２０４で、試験パターン制御部１２７に指示することで返送される試験パターンデータ（図８のステップＳ８０３参照）を受け、これらの返送されたデータに基づいて設定され、試験シナリオＤＢ１３７に登録される。
【００５５】
試験シナリオＤＢ１３７は、たとえば、磁気ディスク等の大容量の記憶装置であり、試験シナリオデータを記憶する。この試験のシナリオは、移動局に転送される試験の概要であり、試験パターンと発信用の加入者番号及び／又は着信用の加入者番号等を含んでいる。
【００５６】
つぎに、ステップＳ１２０５で、設定された試験シナリオを試験の対象となる加入者、すなわち移動局に転送する。この転送処理は、ステップＳ１２０６で、設定された試験シナリオを構成する試験パターンが発信試験に対応する場合には、ステップＳ１２０７で、発信試験実行制御部１２１を介して、該設定された試験シナリオが発信試験の対象となる移動局に転送される。
【００５７】
また、ステップＳ１２０６で、該試験パターンが着信試験に対応する場合には、ステップＳ１２０８で、着信試験実行制御部１２９を介して、該設定された試験シナリオが着信試験の対象となる移動局に転送される。さらに、ステップＳ１２０６で、該試験パターンが発着信試験に対応する場合には、ステップＳ１２０９で、発信試験実行制御部１２１を介して、該設定された試験シナリオが発信試験の対象となる移動局に転送され、次いで、Ｓ１２１０で、着信試験実行制御部１２９を介して、該設定された試験シナリオが着信試験の対象となる移動局に転送される。
【００５８】
最後に、ステップＳ１２１１で、試験の開始を指示する。この処理は、ステップＳ１２１２で、該試験シナリオを構成する試験パターンが発信試験に対応する場合には、ステップＳ１２１３で、発信の対象である移動局に発信の指示を転送するように発信試験実行制御部１２１に指示する。
【００５９】
また、ステップＳ１２１２で、該試験パターンが着信試験に対応する場合には、ステップＳ１２１４で、試験開始の旨が着信試験実行制御部１２９に通知される。さらに、ステップＳ１２１２で、該試験パターンが発着信試験に対応する場合には、ステップＳ１２１５で、発信の対象である移動局に発信の指示を転送するように発信試験実行制御部１２１に指示し、次いで、Ｓ１２１０で、試験開始の旨が着信試験実行制御部１２９に通知される。
【００６０】
一方、ステップＳ１２１７では、Ｍ−ＳＣＰ１０５からのデータの内容を確認する。ステップＳ１２１７で、データの内容が試験結果の報告である場合（図１０のステップＳ１００５参照）、ステップＳ１２１８で、試験結果を試験呼制御部１１９に設けられている記憶手段（図示せず）に記憶する。この記憶処理は、ステップＳ１２１９で、試験の対象となっている全ての移動局からの試験結果に関する報告が得られているかを確認し、全ての試験結果の報告が得られるまで、ステップＳ１２１９の確認を繰り返す。
【００６１】
ステップＳ１２１９で、全ての試験結果に関する報告が得られた場合、ステップＳ１２２０で、異常を示す試験結果の報告があるか否かを判定し、異常がある場合にはステップＳ１２２１の処理に進み、異常がない場合にはステップＳ１２２２の処理に進む。ステップＳ１２２０で、異常を示す報告が場合、ステップＳ１２２１で、異常が発生している可能性があるノードを特定する。
【００６２】
具体的には、あるＭＭＳの配下にあるＲＮＣ、ＢＴＳ及びＭＳからの報告が全てＮＧである場合には、そのＭＭＳを異常が発生している可能性が高いとして特定する。また、あるＲＮＣの配下にあるＢＴＳ及びＭＳからの報告が全てＮＧである場合、そのＲＮＣを異常が発生している可能性が高いとして特定する。
【００６３】
また、あるＢＴＳの配下にあるＭＳからの報告が全てＮＧである場合、そのＢＴＳを異常が発生している可能性が高いとして特定する。さらに、ある基地局のなかの、あるセクタ／キャリアに対応する移動局からの報告がＮＧであった場合、その基地局内部に異常が発生している可能性が高いとして特定する。
【００６４】
最後に、ステップＳ１２２２で、全ての試験対象の移動局からの試験結果は、結果報告（異常報告）出力部１１１に送出され（図５参照）、必要に応じて、入出力装置１０３に表示される。
【００６５】
ステップＳ１２１７に戻り、データの内容が着信試験の設定解除の指示である場合（図１０のステップＳ１００５参照）、はじめに、ステップＳ１２２３で、着信試験の設定解除の通知又は応答を指示する。この指示は、ステップＳ１２２４で、試験対象の設定解除の応答をＭ−ＳＣＰ１０５に送出することで行われる。次いで、ステップＳ１２２５で、着信試験の設定解除を行う。この解除処理は、ステップＳ１２２６で、所定の着信用の移動局を設定解除する旨を着信試験実行制御部１２９に通知することで実行される。
【００６６】
つぎに、ステップＳ１２２７で、着信用の移動局を新たに選択する。この選択処理は、ステップＳ１２２８で、試験エリア制御部１２３に対して指示することで返送される試験エリアデータ（図７のステップＳ７０５参照）から該当する移動局を選択することで実行される。
【００６７】
次いで、ステップＳ１２２９で、試験シナリオの設定を行う。この設定処理は、試験パターン制御部１２７に対して指示することで返送される試験パターンデータ（図８のステップＳ８０３参照）に、ステップＳ１２２８で選択された着信用の移動局の加入者番号を対応付けることによる。次いで、ステップＳ１２３０で、ステップＳ１２２９で作成された試験シナリオは、着信試験実行制御部１２９を介して、新たに選択された移動局に転送される。
【００６８】
ステップＳ１２１７に戻り、データの内容が発信試験の設定解除の指示である場合（図１０のステップＳ１００５参照）、はじめに、ステップＳ１２３１で、発信試験の設定解除を行う。この解除処理は、ステップＳ１２３２で、所定の発信用の移動局を設定解除する旨を発信試験実行制御部１２１に指示することで実行される。
【００６９】
つぎに、ステップＳ１２３３で、発信用の移動局を新たに選択する。この選択処理は、ステップＳ１２３４で、試験エリア制御部１２３に対して指示することで返送される試験エリアデータ（図７のステップＳ７０５参照）から該当する移動局を選択することで実行される。
【００７０】
次いで、ステップＳ１２３５で、試験シナリオの設定を行う。この設定処理は、試験パターン制御部１２７に対して指示することで返送される試験パターンデータ（図８のステップＳ８０３参照）に、ステップＳ１２３３で選択された発信用の移動局の加入者番号を対応付けることによる。次いで、ステップＳ１２３６で、ステップＳ１２３５で作成された試験シナリオは、発信試験実行制御部１２１を介して、新たに選択された移動局に転送される。
【００７１】
なお、ステップＳ１２０１に戻り、入力情報が試験の停止指示である場合には、ステップ１２３７で、現在実行されている試験に応じて、発信試験実行制御部１２１及び／又は着信試験実行制御部１２９に試験の停止を通知する。
【００７２】
発信試験実行制御部１２１は、試験呼制御部１１９の指示に基づいて、発信試験に関する処理を実行する。具体的には、図１３に従う機能を有している。
【００７３】
図１３は、本実施の形態に係る発信試験実行制御部１２１の具体的な処理を例示するフローチャートである。
【００７４】
ステップＳ１３０１では、入力情報の種類を確認する。ステップＳ１３０１で、入力情報が試験シナリオである場合には（図１２のステップＳ１２０７，Ｓ１２０９，Ｓ１２３６参照）、ステップＳ１３０２で、該試験シナリオを読み込み、次いで、ステップＳ１３０５で、この試験シナリオを加入者データ管理インタフェース部１１５に送出する。
【００７５】
また、ステップＳ１３０１で、入力情報が試験の開始指示である場合（図１２のステップＳ１２１３，Ｓ１２１５参照）、ステップＳ１３０３で、発信用の移動局に発信を指示するためのデータ編集を行い、次いで、ステップＳ１３０４で、この編集されたデータを加入者データ管理インタフェース部１１５に送出する。さらに、ステップＳ１３０１で、入力情報が発信試験の解除通知である場合（図１２のステップＳ１２３２参照）、ステップＳ１３０４で、所定の発信用の移動局が解除されたことが通知される。
【００７６】
着信試験実行制御部１２９は、試験呼制御部１１９の指示に基づいて、着信試験に関する処理を実行する。具体的には、図１４に従う機能を有している。
【００７７】
図１４は、本実施の形態に係る着信試験実行制御部１２９の具体的な処理を例示するフローチャートである。
【００７８】
ステップＳ１４０１では、入力情報の種類を確認する。ステップＳ１４０１で、入力情報が試験シナリオである場合には（図１２のステップＳ１２０８，Ｓ１２１０，Ｓ１２３０参照）、ステップＳ１４０２で、該試験シナリオを読み込み、次いで、ステップＳ１４０５で、この試験シナリオを加入者データ管理インタフェース部１１５に送出する。
【００７９】
また、ステップＳ１４０１で、入力情報が試験の開始通知である場合（図１２のステップＳ１２１４，Ｓ１２１６参照）、ステップＳ１４０３で、試験の開始の旨が通知される。さらに、ステップＳ１４０１で、入力情報が着信試験の解除通知である場合（図１２のステップＳ１２２６参照）、ステップＳ１４０４で、所定の着信用の移動局が解除されたことが通知される。
【００８０】
つぎに、図１５〜図２２を用いて、本発明の実施の形態に係るネットワーク試験装置１０１の動作を説明する。ここでは、入出力装置１０３、ネットワーク試験装置１０１、Ｎ−ＳＣＰ１０５、更には各ノード（ＭＭＳ，ＲＮＣ，ＢＴＳ）及び移動局との間で行われるデータのやり取りが説明される。
【００８１】
図１５及び図１６は、本実施の形態に係る加入者データの設定／設定解除シーケンスを例示するフローチャートである。
【００８２】
はじめに、ステップＳ１５０１で、入出力装置１０３から、特定の加入者をネットワーク試験の対象として設定すべき指示が入力される（図４のステップＳ４０２参照）。次いで、ステップＳ１５０２で、ネットワーク試験装置１０１は、この設定指示をＭ−ＳＣＰ１０５に送出する。つぎに、ステップＳ１５０３で、Ｍ−ＳＣＰ１０５は、受けた設定指示に基づいて、加入者ＤＢ１０６に登録されている加入者データのうち、該当する加入者データに試験の対象であることを示すフラグを設定する。
【００８３】
つぎに、Ｓ１５０４で、入出力装置１０３から、ネットワークの正常性を確認する試験エリアの登録指示が入力される（図４のステップＳ４０４参照）。上述したように、この登録指示は、試験エリアデータ１３９の内容を含んでいる。次いで、ステップＳ１５０５で、ネットワーク試験装置１０１は、受けた試験エリアデータ１３９を試験エリアＤＢ１３１に登録する。次いで、ステップＳ１５０６で、ネットワーク試験装置１０１は、登録された試験エリアに在圏している加入者（移動局）の加入者番号の収集要求をＭ−ＳＣＰ１０５に送出する。
【００８４】
ステップＳ１５０７で、Ｍ−ＳＣＰ１０５は、加入者ＤＢ１０６に登録されている加入者データのうち、該収集要求に該当する加入者番号を収集し、この収集結果をネットワーク試験装置１０１に送出する。次いで、ステップＳ１５０８で、ネットワーク試験装置１０１は、受けた収集結果を、ステップＳ１５０５で登録された試験エリアデータに含めて登録する。
【００８５】
つぎに、ステップＳ１５０９で、入出力装置１０３から、ネットワーク試験の試験パターンの登録指示が入力される（図４のステップＳ４０６参照）。上述したように、この登録指示は、試験パターンデータ１４１の内容を含んでいる。次いで、ステップＳ１５１０で、ネットワーク試験装置１０１は、受けた試験パターンデータ１４１を試験パターンＤＢ１３５に登録する。
【００８６】
つぎに、ステップＳ１５１１で、入出力装置１０３から、ネットワーク試験の試験スケジュールの登録指示が入力される（図４のステップＳ４０５参照）。上述したように、この登録指示は、試験スケジュールデータ１４３の内容を含んでいる。次いで、ステップＳ１５１２で、ネットワーク試験装置１０１は、受けた試験スケジュールデータ１４３を試験スケジュールＤＢ１３３に登録する。
【００８７】
つぎに、ステップＳ１５１３で、入出力装置１０３から、特定の加入者をネットワーク試験の対象とする設定から解除すべき指示が入力される（図４のステップＳ４０２参照）。次いで、ステップＳ１５１４で、ネットワーク試験装置１０１は、この解除指示をＭ−ＳＣＰ１０５に送出する。つぎに、ステップＳ１５１５で、Ｍ−ＳＣＰ１０５は、受けた解除指示に基づいて、加入者ＤＢ１０６に登録されている加入者データのうち、該当する加入者データに、試験の対象から解除したことを示すフラグを設定する。
【００８８】
図１７は、本実施の形態に係るネットワーク試験の起動シーケンスを例示するフローチャートである。
【００８９】
はじめに、ステップＳ１６０１で、入出力装置１０３から試験の開始指示が入力される（図４のステップＳ４０３参照）。このとき、必要に応じて試験スケジュールが起動される（図１１のステップＳ１１０３参照）。
【００９０】
つぎに、ステップＳ１６０２で、ネットワーク試験装置１０１は、試験エリアＤＢ１３１に登録されている試験エリアデータに含まれる加入者番号を抽出する（図１２のステップＳ１２０３及び図７のステップＳ７０５参照）。
【００９１】
次いで、ステップＳ１６０３で、ネットワーク試験装置１０１は、Ｍ−ＳＣＰ１０５に対して、現在、この試験エリアに在圏している移動局の加入者番号を要求する（図７のステップＳ７０３参照）。次いで、ステップＳ１６０４で、Ｍ−ＳＣＰ１０５は、加入者ＤＢ１０６に登録されている加入者データのうち、該試験エリアに在圏する移動局の在圏情報を収集し、この収集結果をネットワーク試験装置１０１に返送する（図７のステップＳ７０４参照）。
【００９２】
ステップＳ１６０５で、ネットワーク試験装置１０１は、この収集結果に基づいて、移動局の在圏エリアに変更があった場合は、試験エリアデータを更新する（図７のステップＳ７０４）。これにより、ネットワーク試験に際して、試験エリアに在圏する移動局に関する最新の在圏情報を使用することで、更に精度の高い試験を実施することができる。
【００９３】
つぎに、ステップＳ１６０６で、ネットワーク試験装置１０１は、試験パターンＤＢ１３５に登録されている試験パターンデータを読み出す。次いで、ステップＳ１６０７で、試験パターンに発信用の加入者番号又は着信用の加入者番号を含めて試験のシナリオを設定し、この試験シナリオデータを試験シナリオＤＢ１３７に登録する。
【００９４】
図１８は、本実施の形態に係る発信試験のシーケンスを例示するフローチャートである。
【００９５】
はじめに、ステップＳ１７０１で、ネットワーク試験装置１０１は、試験シナリオＤＢ１３７に登録されている試験シナリオを読み出し、該シナリオを構成する試験パターンに従い、試験呼を発信する移動局に試験シナリオ１４５を転送する（図１２のステップＳ１２０７参照）。この試験シナリオは、Ｍ−ＳＣＰ１０５及び各ノードを介して、発信用の移動局に転送される。このとき、Ｍ−ＳＣＰ１０５は、受けたシナリオの内容に基づいて発信試験の対象となる移動局を特定し、特定された移動局に該シナリオを転送する。
【００９６】
つぎに、ステップＳ１７０２で、ネットワーク試験装置１０１は、該当する移動局に発信を指示する（図１２のステップＳ１２１３参照）。これに応じて、ステップＳ１７０３で、移動局は、試験シナリオに従って試験呼を発信し、次いで、ステップＳ１７０４で、各ノード及びＭ−ＳＣＰ１０５を介して、ネットワーク試験装置１０１に試験結果１４７を送信する。
【００９７】
ステップＳ１７０５で、ネットワーク試験装置１０１は、試験結果を集計し、試験対象エリアのデータが全て収集されたかをチェックする。次いで、ステップＳ１７０６で、ネットワーク試験装置１０１は、試験結果を分析する。上述したように、ＮＧの有無、及びＮＧとなっているノードが確認され、更にはＮＧエリアの傾向が分析される。ステップＳ１７０７で、ネットワーク試験装置１０１は、分析結果等を含めて試験結果１４９を入出力装置１０３に報告する（図５参照）。
【００９８】
図１９及び図２０は、本実施の形態に係る発着信試験のシーケンスを例示するフローチャートである。
【００９９】
はじめに、ステップＳ１８０１で、ネットワーク試験装置１０１は、試験シナリオＤＢ１３７に登録されている試験シナリオを読み出し、該シナリオを構成する試験パターンに従い、試験呼を発信する移動局と着信する移動局に試験シナリオを転送する。
【０１００】
この転送処理は、ステップＳ１８０２で、発信用の移動局に試験シナリオ１５１を転送し（図１２のステップＳ１２０９参照）、次いで、ステップＳ１８０３で、着信用の移動局に試験シナリオ１５３を転送する（図１２のステップＳ１２１０参照）。これらの試験シナリオは、Ｍ−ＳＣＰ１０５及び各ノードを介して、該当する移動局に転送される。このとき、Ｍ−ＳＣＰ１０５は、受けたシナリオの内容に基づいて発信試験の対象となる移動局及び着信試験の対象となる移動局のそれぞれを特定し、特定された移動局のそれぞれに該シナリオを転送する。
【０１０１】
つぎに、ステップＳ１８０４で、ネットワーク試験装置１０１は、該当する移動局に発信を指示する（図１２のステップＳ１２１５参照）。これに応じて、ステップＳ１８０５で、発信用の移動局は、試験シナリオに従って試験呼を発信し、次いで、ステップＳ１８０６で、各ノード及びＭ−ＳＣＰ１０５を介して、発信に関する試験結果１５５を送信する。さらに、ステップＳ１８０７で、着信用の移動局は、着信に関する試験結果１５７を送信する。これらの試験結果は、各ノード及びＭ−ＳＣＰ１０５を介して、ネットワーク試験装置１０１に転送される。
【０１０２】
つぎに、ステップＳ１８０８で、ネットワーク試験装置１０１は、試験結果を集計し、試験対象エリアのデータが全て収集されたかをチェックし、次いで、ステップＳ１８０９で、試験結果を分析する。上述したように、ＮＧの有無、及びＮＧとなっているノードが確認され、更にはＮＧエリアの傾向が分析される。ステップＳ１８１０で、ネットワーク試験装置１０１は、分析結果を含めて試験結果１５９を入出力装置１０３に報告する（図５参照）。
【０１０３】
図２１は、本実施の形態に係る試験解除のシーケンスを例示するフローチャートである。ここでは、試験中に加入者が発信する場合を説明する。
【０１０４】
はじめに、ステップＳ１９０１で、試験中に、ある移動局が発信操作を行う。次いで、ステップＳ１９０２で、この移動局に試験シナリオが転送されている場合、試験の対象から設定解除するようにネットワーク試験装置１０１に要求する。また、試験のために通話中の場合には、該当するノードとの間に確立されている回線を切断する。
【０１０５】
ステップＳ１９０４で、ネットワーク試験装置１０１は、この指示に応答して（図１０のステップＳ１００５参照）、試験エリアＤＢ１３１に登録されている試験エリアデータのうち、試験の対象とすべき別の発信用の移動局を選択する（図１２のステップＳ１２３３参照）。次いで、ステップＳ１９０５で、試験パターンＤＢ１３５から現在実行されている試験パターンのデータを読み出す。
【０１０６】
つぎに、ステップＳ１９０６で、ネットワーク試験装置１０１は、読み出された試験パターンに、ステップＳ１９０４で選択された移動局を含めて、発信用の移動局の加入者番号、及び着信用の移動局の加入者番号を対応付けることで試験シナリオを設定する。ステップＳ１９０７で、ネットワーク試験装置１０１は、試験呼を発信する新たな移動局に試験シナリオを転送する。
【０１０７】
図２２は、本実施の形態に係る試験解除のシーケンスを例示するフローチャートである。ここでは、試験中に加入者が着信する場合を説明する。
【０１０８】
はじめに、ステップＳ１９０１で、Ｍ−ＳＣＰ１０５は、在圏する移動局の着信状況に関する着信翻訳データを各ノードから受け、次いで、ステップＳ２００２で、着信状態にある移動局が試験の対象となっているか否かを判定する。
【０１０９】
ステップＳ２００２で、着信状態にある移動局のなかに試験の対象となっているものがある場合、Ｍ−ＳＣＰ１０５は、該当する着信用の移動局が存在することをネットワーク試験装置１０１に設定解除の指示として送出する。ステップＳ２００３で、ネットワーク試験装置１０１は、この設定解除の指示に応答して、試験の対象となっている移動局に設定を解除する旨を通知する（図１２のステップＳ１２２３参照）。
【０１１０】
つぎに、ステップＳ２００４で、通知を受けた移動局は、試験シナリオを削除して設定解除の指示を送出する。さらに、試験のために通話中の場合は、ステップＳ２００５で、各ノードとの間に確立されている回線を切断する。ステップＳ２００６で、ネットワーク試験装置１０１は、設定解除の指示を受けて、設定解除が完了した旨の応答をＭ−ＳＣＰ１０５に送出する（図１２のステップＳ１２２３参照）。次いで、ステップＳ２００７で、Ｍ−ＳＣＰ１０５は、この応答を受けて、着信翻訳データに対する応答を各ノードに送出する。
【０１１１】
ステップＳ２００８で、ネットワーク試験装置１０１は、試験エリアＤＢ１３１に登録されている試験エリアデータのうち、試験の対象とすべき別の着信用の移動局を選択する（図１２のステップＳ１２２７参照）。次いで、ステップＳ２００９で、試験パターンＤＢ１３５から現在実行されている試験パターンのデータを読み出す。
【０１１２】
つぎに、ステップＳ２０１０で、ネットワーク試験装置１０１は、読み出された試験パターンに、ステップＳ２０８で選択された移動局を含めて、発信用の移動局の加入者番号、及び着信用の移動局の加入者番号を対応付けることで試験シナリオを設定する。ステップＳ２０１１で、ネットワーク試験装置１０１は、試験呼を着信する新たな移動局に試験シナリオを転送する。
【０１１３】
以上より、本発明の実施の形態に係るネットワーク試験装置が説明された。本ネットワーク試験装置１０１は、移動体通信ネットワークの試験に関連するデータが入力される入力装置１０３と、該ネットワークを構成するノード及び移動局を管理するＭ−ＳＣＰ１０５との間に通信回線で接続されている。この配置関係により、Ｍ−ＳＣＰ１０５で管理されている在圏データ等を有効に活用して、移動体通信ネットワーク全体の正常性を確認することができる。
【０１１４】
本ネットワーク試験装置１０１は、入出力装置１０３からの試験開始指示に応じて、所定の試験エリア（試験対象となるノード、更には移動局）及び試験パターン（発信、着信、発着信）に応じて試験のシナリオを設定する試験呼制御部１１９（図１２のステップＳ１２０２参照）と、該試験シナリオを該当する移動局に送信する発信試験実行制御部１２１及び／又は着信試験実行制御部１２９、並びに加入者データ管理インタフェース部１１５（図１０のステップＳ１００２）とを有している。また、該加入者データ管理インタフェース部１１５は、発信の指示に応答して試験の対象となっている移動局から送信される試験結果を受信する。試験に際して該当する移動局にシナリオを転送することで、予め規定された試験内容に従う試験結果を得ることができる。
【０１１５】
さらに、本ネットワーク試験装置１０１は、入出力装置１０３からの試験開始指示に応じて、所定のスケジュール（試験開始時間、試験間隔、実施回数）を起動する試験スケジュール制御部１２５を有しており、試験スケジュール制御部１２５からの指示に基づいて試験シナリオが設定され（図９のステップＳ９０５参照）、設定された試験シナリオが該当する移動局に送信される。この試験スケジュールを導入することで、単発的なネットワーク試験から一定期間にわたるネットワーク試験を実施することができ、時間的な厚みが考慮された試験結果を得ることができる。
【０１１６】
さらに、試験呼制御部１１９は、加入者が実際の発信又は着信のために移動局を使用する場合、又は使用中である場合に、試験の対象とする設定から解除して、別の移動局を試験の対象として設定する。これにより、加入者の利用状況を配慮したネットワーク全体の試験を実施することができる。
【０１１７】
なお、本発明は上記実施の形態に限定されず、様々な変更等が行われる場合がある。この点について、他の形態として以下に説明する。
【０１１８】
はじめに、上記実施の形態では、ネットワーク試験装置１０１は、入出力装置１０３とＭ−ＳＣＰ１０５の間で通信回線により接続されている。本発明はこれに限定されず、たとえば、ネットワーク試験装置１０１がＭ−ＳＣＰ１０５と一体となって実現され、Ｍ−ＳＣＰ１０５の入力装置（図示せず）からネットワーク試験に関するデータが入力される構成であってもよい。いずれにしても、Ｍ−ＳＣＰ１０５のデータ資源を有効に利用することができる構成／配置であればよい。
【０１１９】
また、上記実施の形態では、明確な説明のために、図３では各機能を個別に説明しているが、本発明はこれに限定されず、たとえば、発信試験実行制御部１２１、着信試験実行制御部１２９、及び加入者データ管理インタフェース部１１５等が１つのユニットとして実現されてもよく、いずれにしても、それぞれの機能が１つのユニットにおいて実現される構成であればよい。
【０１２０】
また、上記実施の形態では、試験のシナリオを設定する際に、はじめに、試験エリアデータを更新し、次いで、最新の在圏情報に基づいてシナリオが設定される（図１７参照）。本発明はこれに限定されず、たとえば、試験のシナリオを暫定的に設定しておき、次いで、移動局への転送の直前に加入者ＤＢ１１６の在圏情報を用いて試験シナリオの該当部分を更新する構成としてもよい。いずれにしても、ネットワーク試験を実施する際に、移動局の加入者番号等を用いて試験の対象となる移動局を特定する構成であればよい。
【０１２１】
以上の他の形態を含めて、本発明の要点を付記として記載する。
（付記１）
移動局の位置情報を該移動局の識別情報と対応させて記憶する記憶装置を備えた移動体通信ネットワークに接続されるネットワーク試験装置であって、
ネットワーク試験の手順を規定するシナリオ情報を送信する対象の移動局を、該シナリオ情報に含まれるセル情報に対応する移動局の識別情報を用いて特定し、該特定した移動局に対して該シナリオ情報を送信する送信手段と、
該シナリオ情報に従って実行された試験の結果を受信する受信手段と、
を備えたことを特徴とするネットワーク試験装置。
（付記２）
該ネットワーク試験のエリアを特定するエリアデータと、該試験の実施パターンを特定するパターンデータとを使用して該シナリオ情報を設定する設定手段をさらに備える、
付記１記載のネットワーク試験装置。
（付記３）
該設定手段は、試験のエリアに現在在圏している移動局を特定するエリアデータに基づいて該シナリオ情報を設定する、
付記２記載のネットワーク試験装置。
（付記４）
該設定手段は、試験のスケジュールに従って該シナリオ情報を設定する、
付記２又は３記載のネットワーク試験装置。
（付記５）
該パターンデータは、発信試験、着信試験又は発着信試験を特定する、
付記２又は３記載のネットワーク試験装置。
（付記６）
該設定手段は、解除要求に応答して特定の移動局をネットワーク試験の対象から除き、別の移動局を試験の対象とするシナリオ情報を設定する、
付記２又は３記載のネットワーク試験装置。
（付記７）
移動局の位置情報を該移動局の識別情報と対応させて記憶する記憶装置を備えた移動体通信ネットワークに接続されるネットワーク試験方法であって、
ネットワーク試験の手順を規定するシナリオ情報を送信する対象の移動局を、該シナリオ情報に含まれるセル情報に対応する移動局の識別情報を用いて特定するステップと、
該特定した移動局に対して該シナリオ情報を送信するステップと、
該シナリオ情報に従って実行された試験の結果を受信するステップと、
を備えたことを特徴とするネットワーク試験方法。
【図面の簡単な説明】
【０１２２】
【図１】従来の移動体ネットワークに関連する試験を例示する図である。
【図２】本発明の実施の形態に係るネットワーク試験装置の概念を説明する図である。
【図３】本発明の実施の形態に係るネットワーク試験装置の詳細な機能を例示する図である。
【図４】本発明の実施の形態に係る入力受付部の具体的な処理を例示するフローチャートである。
【図５】本発明の実施の形態に係る結果報告（異常報告）出力部の具体的な処理を例示するフローチャートである。
【図６】本発明の実施の形態に係る試験加入者設定制御部の具体的な処理を例示するフローチャートである。
【図７】本発明の実施の形態に係る試験エリア制御部の具体的な処理を例示するフローチャートである。
【図８】本発明の実施の形態に係る試験パターン制御部の具体的な処理を例示するフローチャートである。
【図９】本発明の実施の形態に係る試験スケジュール制御部の具体的な処理を例示するフローチャートである。
【図１０】本発明の実施の形態に係る加入者データ管理インタフェース部の具体的な処理を例示するフローチャートである。
【図１１】本発明の実施の形態に係る試験実行受付部の具体的な処理を例示するフローチャートである。
【図１２】本発明の実施の形態に係る試験呼制御部の具体的な処理を例示するフローチャートである。
【図１３】本発明の実施の形態に係る発信試験実行制御部の具体的な処理を例示するフローチャートである。
【図１４】本発明の実施の形態に係る着信試験実行制御部の具体的な処理を例示するフローチャートである。
【図１５】本発明の実施の形態に係る加入者データの設定／設定解除シーケンスを例示するフローチャート（その１）である。
【図１６】本発明の実施の形態に係る加入者データの設定／設定解除シーケンスを例示するフローチャート（その２）である。
【図１７】本発明の実施の形態に係るネットワーク試験の起動シーケンスを例示するフローチャートである。
【図１８】本発明の実施の形態に係る発信試験のシーケンスを例示するフローチャートである。
【図１９】本発明の実施の形態に係る発着信試験のシーケンスを例示するフローチャート（その１）である。
【図２０】本発明の実施の形態に係る発着信試験のシーケンスを例示するフローチャート（その２）である。
【図２１】本発明の実施の形態に係る試験解除のシーケンスを例示するフローチャートである。
【図２２】本発明の実施の形態に係る試験解除のシーケンスを例示するフローチャートである。
【符号の説明】
【０１２３】
１０１：ネットワーク試験装置
１０３：入力装置
１０５：加入者データ用管理装置（Ｍ−ＳＣＰ）
１０６：加入者データベース
１０７−１〜ｉ：交換機（ＭＭＳ）
１０９：入力受付部
１１１：結果報告（異常報告）出力部
１１３：試験加入者設定制御部
１１５：加入者データ管理インタフェース部
１１７：試験実行受付部
１１９：試験呼制御部
１２１：発信試験実行制御部
１２３：試験エリア制御部
１２５：試験スケジュール制御部
１２７：試験パターン制御部
１２９：着信試験実行制御部
１３１：試験エリアデータベース
１３３：試験スケジュールデータベース
１３５：試験パターンデータベース
１３７：試験シナリオデータベース
【図１】
2006020155.tif 000003
【図２】
2006020155.tif 000004
【図３】
2006020155.tif 000005
【図４】
2006020155.tif 000006
【図５】
2006020155.tif 000007
【図６】
2006020155.tif 000008
【図７】
2006020155.tif 000009
【図８】
2006020155.tif 000010
【図９】
2006020155.tif 000011
【図１０】
2006020155.tif 000012
【図１１】
2006020155.tif 000013
【図１２】
2006020155.tif 000014
【図１３】
2006020155.tif 000015
【図１４】
2006020155.tif 000016
【図１５】
2006020155.tif 000017
【図１６】
2006020155.tif 000018
【図１７】
2006020155.tif 000019
【図１８】
2006020155.tif 000020
【図１９】
2006020155.tif 000021
【図２０】
2006020155.tif 000022
【図２１】
2006020155.tif 000023
【図２２】
2006020155.tif 000024